(57)【要約】      （修正有）【課題】表裏どちらか一方のときだけしかソケットに挿入できないＵＳＢプラグを、表裏どちらであってもスムーズに挿抜することを可能にする、ＵＳＢソケットを提供する。【解決手段】ＵＳＢソケットは、金属ケース１０と、絶縁性本体２０と、絶縁性本体内で並列配置された複数のピン端子３０とを含む。それぞれのピン端子からは、正極ピン３１と負極ピン３２とが延在し、正極ピンが絶縁性本体の表面から突出し、負極ピンが当該ピン端子と対称位置にある別のピン端子の軸線上にまで延在し且つ絶縁性本体の背面から突出している。正極ピンから金属ケースの上側面までの距離が、負極ピンから金属ケースの下側面までの距離と等しい。これらの構造により、それぞれのピン端子は、いずれも二つの表裏両方向を有する導電ピン構造を形成する。【選択図】図１
0003188355.tif 000002
【実用新案登録請求の範囲】
【請求項１】
金属ケースと、絶縁性本体と、絶縁性本体内で並列配置された複数のピン端子とを含むＵＳＢソケットであって、
それぞれの前記ピン端子からは、正極ピンと負極ピンとが延在し、前記正極ピンが前記絶縁性本体の表面から突出し、前記負極ピンが当該ピン端子と対称位置にある別のピン端子の軸線上にまで延在し且つ前記絶縁性本体の背面から突出しており、
前記正極ピンから前記金属ケースの上側面までの距離が、前記負極ピンから前記金属ケースの下側面までの距離と等しいことを特徴とする、新型ＵＳＢソケット。
【請求項２】
前記正極ピンと前記負極ピンには、滑らかな円弧形構造の弾性部がそれぞれ設けられていることを特徴とする、請求項１に記載の新型ＵＳＢソケット。
【請求項３】
前記絶縁性本体における、前記正極ピンと前記負極ピンに対応する位置には貫通孔が設けられ、前記弾性部が前記貫通孔から突出していることを特徴とする、請求項２に記載の新型ＵＳＢソケット。
【考案の詳細な説明】
【技術分野】
【０００１】
本考案は、電気コネクタの技術分野に属し、特に、ＵＳＢ（Ｕｎｉｖｅｒｓａｌ  Ｓｅｒｉａｌ  Ｂｕｓ）ソケットに関する。
【背景技術】
【０００２】
近年、携帯電話、デジタルカメラ、ポータブルＨＤＤ等の多くのデジタル製品は、ＵＳＢ規格の接続ケーブルがよく使われて充電を行うか、またはパソコンに接続されて充電やデータ交換を行う。このプロセスにおいては、ＵＳＢプラグをＵＳＢソケットに挿入して回路や通信の接続を実現する必要がある。ところで、従来の技術においては、ＵＳＢ２．０／ＵＳＢ３．０規格の制限を受け、ＵＳＢソケットの構造設計を大きく変更することができず、ＵＳＢプラグをその表裏どちらか一方のときだけしかソケットに挿入できない。したがって、実際の使用時、ユーザの不当操作によってＵＳＢプラグ及びソケットの損傷を招く恐れがあると同時に、表裏どちらか一方のときだけ挿入する方式により両者の接続を迅速且つ簡便に実現することができない。よって、ＵＳＢ２．０／ＵＳＢ３．０規格に準拠してＵＳＢプラグの両面挿抜を実現できるＵＳＢソケットが求められている。
【考案の概要】
【考案が解決しようとする課題】
【０００３】
本考案は、構造が簡単であり、実用性に優れるＵＳＢソケットを提供することを目的とし、従来の技術において、ＵＳＢソケットは、ＵＳＢプラグの表裏どちらか一方のときだけしか挿入することしかできないという問題を解決する。
【課題を解決するための手段】
【０００４】
上述した目的を実現するために、本考案に係る技術案は、以下のように構成される。即ち、
ＵＳＢソケットは、金属ケースと、絶縁性本体と、絶縁性本体内で並列配置された複数のピン端子とを備え、それぞれの前記ピン端子からは、正極ピンと負極ピンとが延在し、正極ピンが絶縁性本体の表面から突出し、負極ピンが当該ピン端子と対称位置にある別のピン端子の軸線上にまで延在し且つ絶縁性本体の背面から突出しており、
前記正極ピンから金属ケースの上側面までの距離が、負極ピンから金属ケースの下側面までの距離と等しい。
【０００５】
好ましくは、前記正極ピンと負極ピンには、いずれも滑らかな円弧形構造の弾性部が設けられている。
【０００６】
好ましくは、前記絶縁性本体における、正極ピンと負極ピンに対応する位置には貫通孔が設けられ、前記弾性部が貫通孔から突出している。
【考案の効果】
【０００７】
上述した技術案を採用することにより、本考案に係るＵＳＢソケットは、ＵＳＢ２．０／ＵＳＢ３．０規格に準拠して従来のＵＳＢソケットの構造について改善を行い、即ち、各ピン端子は、いずれも表裏二面性を有する導電ピン構造を形成する。よって、従来の表裏どちらか一方のときだけしか挿抜できない方式の代わりに、ＵＳＢプラグを表裏どちらのときにもスムーズに挿抜することが実現され、ＵＳＢソケットの実用性が大幅に向上し、普及と応用の価値が極めて高い。
【図面の簡単な説明】
【０００８】
【図１】本考案の実施例に係わるＵＳＢソケットの構造を示す分解模式図である。
【図２】本考案の実施例に係わるＵＳＢソケットの全体構造を示す模式図である。
【図３】本考案の実施例に係わるピン端子の構造を示す模式図である。
【考案を実施するための形態】
【０００９】
以下、図面を参照しながら本考案の実施例について更に詳しく説明を行う。但し、本考案は、実用新案登録請求の範囲により限定またはカバーされる様々な異なる実施形態により実現することができる。
【００１０】
図１及び図２に示すように、本実施例に係わるＵＳＢソケットは、金属ケース１０と、絶縁性本体２０と、複数のピン端子３０とを含み、絶縁性本体２０は、金属ケース１０の中に取り付けられ、ピン端子３０の本体部分は、絶縁性本体２０の中に取り付けられている。各ピン端子３０からは、正極ピン３１と負極ピン３２が延在している。正極ピン３１が絶縁性本体２０の表面から突出し、負極ピン３２が絶縁性本体２０の背面から突出している。同時に、正極ピン３１から金属ケース１０の上側面までの距離が、負極ピン３２から金属ケース１０の下側面までの距離と等しい。即ち、各ピン端子３０は、表裏二面性を有する導電ピン構造を形成する。よって、従来において表裏どちらか一方のときだけしか挿抜できない方式の代わりに、ＵＳＢプラグを表裏どちらであってもスムーズに挿抜することが実現される。
【００１１】
プラグとソケットとの安定な接続を確保するために、正極ピン３１及び負極ピン３２におけるＵＳＢプラグの導電構造と接触する部位には、滑らかな円弧形構造の弾性部が設けられている。また、絶縁性本体２０における、正極ピン３１と負極ピン３２に対応する位置には貫通孔が設けられ、弾性部が貫通孔から突出している。また、異なる仕様の設計要求を満たすために、弾性部を折返し構造にしてもよい。
【００１２】
本実施例に係るＵＳＢソケットを更に説明するために、図３に示すように、現在最も汎用されている４ＰＩＮ  ＵＳＢソケットを例として挙げる。当該ＵＳＢソケットは、全部で四つのピン端子を備えている。各ピン端子を区別するために各ピン端子に標識符号が付与されている。即ち、ピン端子３００、３１０、３２０、及び３３０である。四つのピン端子が並列配置されており、ピン端子３００、３１０、３２０及び３３０はいずれも絶縁性本体２０の表面から突出する正極ピン３０１、３１１、３２１及び３３１を形成し、そして、ピン端子３００、３１０、３２０及び３３０は、更に延在して絶縁性本体２０の背面から突出する負極ピン３０２、３１２、３２２及び３３２を形成している。負極ピン３０２は、正極ピン３３１が位置している軸線上にまで延在している。即ち、負極ピン３０２と正極ピン３３１とが対向して構成される。同様に、負極ピン３１２と正極ピン３２１が対向し、負極ピン３２２と正極ピン３１１が対向し、負極ピン３３２と正極ピン３０１が対向している。よって、ＵＳＢプラグをソケットに挿入することで、ＵＳＢプラグの表裏を問わず両者の接続を実現することができる。
【００１３】
上述のように、本実施例に係るＵＳＢソケットは、ＵＳＢ２．０／ＵＳＢ３．０規格に準拠した上で従来のＵＳＢソケットの構造について改善を行い、ユーザが表裏どちらであってもＵＳＢプラグの挿抜操作を行うことができ、よって、ＵＳＢソケットの実用性が大幅に向上し、普及と応用の価値が極めて高い。
【００１４】
上述の内容は、本考案の好ましい実施例にすぎず、実用新案登録請求の範囲を制限するものではない。したがって、本考案の明細書及び図面に記載の事項に基づいて行われた構造やプロセス上の等価的な変更、または本考案の技術事項を他の関連の技術分野へ直接または間接的に応用することは、いずれも実用新案登録請求の範囲内に属する。
【図１】
0003188355.tif 000003
【図２】
0003188355.tif 000004
【図３】
0003188355.tif 000005